【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
主翼（２）に取付けられる空力部材（４）であって、
前記空力部材（４）の下流端は、複数の流れフラップ（５ａ，５ｂ）を有する
ことを特徴とする、空力部材（４）。
【請求項２】
複数の前記流れフラップ（５ａ，５ｂ）は、前記空力部材（４）の縦方向に互いに隣接するように位置する、
請求項１記載の空力部材（４）。
【請求項３】
前記空力部材（４）は、前記流れフラップ（５ａ，５ｂ）同士の間に位置する構造部分を有する、
請求項１記載の空力部材（４）。
【請求項４】
前記空力部材（４）のサイズは、前記流れフラップ（５ａ，５ｂ）が位相シフト振動する場合に前記空力部材（４）によって生じる動作誘発性空気力が、何れかの時点で前記流れフラップ（５ａ，５ｂ）によって誘発される最大空気力の１０％未満であるように設定されている、
請求項１〜３何れか一項記載の空力部材（４）。
【請求項５】
２つの前記流れフラップ（５ａ，５ｂ）が互いに逆位相で振動する場合に前記空力部材（４）によって生じる動作誘発性空気力は、前記振動周期のどの時点でも正確に相殺されるように構成されている、
請求項１〜４何れか一項記載の空力部材（４）。
【請求項６】
前記流れフラップ（５ａ，５ｂ）には、それら前記流れフラップ（５ａ，５ｂ）をゼロ設定から移動させるアクチュエータが割当てられる、
請求項１〜５何れか一項記載の空力部材（４）。
【請求項７】
前記空力部材（４）は、前記アクチュエータを制御するコンピュータを有する、
請求項６記載の空力部材（４）。
【請求項８】
複数の前記流れフラップ（５ａ，５ｂ）は、互いに機械的に連結され、
前記アクチュエータは、前記流れフラップ（５ａ，５ｂ）に連結され、
前記アクチュエータの動作は、前記流れフラップ（５ａ，５ｂ）の位相シフト動作または逆位相の動作を誘発する、
請求項６または７何れか一項記載の空力部材（４）。
【請求項９】
前記空力部材（４）は、前記主翼（２）の先端に配置されたウイングレットである、
請求項１〜８何れか一項記載の空力部材（４）。
【請求項１０】
前記空力部材（４）は、前記主翼（２）の根元と先端の間の領域に配置される、
請求項１〜９何れか一項記載の空力部材（４）。
【請求項１１】
主翼（２）と空力部材（４）を有する航空機翼であって、
前記空力部材（４）は、前記主翼（２）の翼幅方向に対して或る角度で縦方向に延び、
前記空力部材（４）の下流端は、複数の流れフラップ（５ａ，５ｂ）を有し、
前記流れフラップ（５ａ，５ｂ）同士は、前記空力部材（４）の前記縦方向に関して互いに隣接するように配置される
ことを特徴とする、航空機翼。
【請求項１２】
前記空力部材（４）は、前記流れフラップ（５ａ，５ｂ）を駆動するアクチェータを有する、
請求項１１記載の航空機翼。
【請求項１３】
前記空力部材（４）は、前記アクチュエータを制御するコンピュータを有する、
請求項１２記載の航空機翼。
【請求項１４】
前記コンピュータは、前記アクチュエータへの時間変動する指令信号を生成するアクチュエータ制御モジュールを有し、
駆動状態の前記アクチュエータ制御モジュールは、互いに対して逆位相の２つの振動指令信号を生成する機能を有する、
請求項１３記載の航空機翼。
【請求項１５】
駆動状態の前記アクチュエータ制御モジュールは、前記空力部材（４）に割当てられた前記アクチュエータそれぞれに、互いに位相シフトするように２つの振動指令信号を生成する振動指令機能を有する、
請求項１３または１４記載の航空機翼。
【請求項１６】
前記振動指令機能は、前記振動指令信号の振動数と振幅のうちの少なくとも１つを変化させるように構成されている、
請求項１５記載の航空機翼。
【請求項１７】
前記振動指令機能は、所定時間領域における前記振動数と前記振幅のうちの少なくとも１つを連続的に増大または低下させるランプ関数を示すように構成されている、
請求項１６記載の航空機翼。
【請求項１８】
前記振動指令機能は、前記振動数と前記振幅のうちの少なくとも１つを決定するランダムチェック発生器によって実現されるように構成される、
請求項１６または１７記載の航空機翼。
【請求項１９】
前記ランダムチェック発生器は、前記所定時間領域のサイズを決定する、
請求項１８記載の航空機翼。
【請求項２０】
前記振動指令機能は、生成した白色雑音を前記振動指令信号に注入するように構成されている、
請求項１６〜１９何れか一項記載の航空機翼。
【請求項２１】
所定帯幅内の前記振動数は、前記所定時間領域において正規分布に基づき生成される、
請求項１６〜２０何れか一項記載の航空機翼。
【請求項２２】
空力部材（４）を有する空力アセンブリであって、
前記空力部材（４）の下流端は、複数の流れフラップ（５ａ，５ｂ）を有し、
前記空力部材（４）は、
前記流れフラップ（５ａ，５ｂ）を駆動するアクチェータと；
前記アクチュエータに接続されるアクチュエータ制御モジュールを有するコンピュータと
を有することを特徴とする、空力アセンブリ。
【請求項２３】
主翼（２）と空力部材（４）を有する空力アセンブリであって、
前記空力部材（４）は、前記主翼（２）の翼幅方向に対して或る角度で縦方向に延び、
前記空力部材（４）の下流端は、複数の流れフラップ（５ａ，５ｂ）を有し、
前記流れフラップ（５ａ，５ｂ）同士は、前記空力部材（４）の前記縦方向に関して互いに隣接するように配置され、
前記空力アセンブリは、
前記流れフラップ（５ａ，５ｂ）を駆動するアクチェータと；
前記アクチュエータに接続されるアクチュエータ制御モジュールを有するコンピュータと
を有することを特徴とする、空力アセンブリ。
【請求項２４】
アクチュエータシステムの指令信号に影響を及ぼす影響付与方法であって、前記影響付与方法は、
アクチュエータへの制御信号を生成する信号生成ステップと；
互いに対して逆位相の２つの振動指令信号を、それぞれ前記アクチュエータに対応するように生成すべく前記制御信号を変化させる信号変化ステップと
を有し、
前記振動指令信号の振動数と振幅のうちの少なくとも１つは、前記振動指令信号の生成前または生成後に変化させられ、
前記振動数と前記振幅のうちの少なくとも１つは、所定時間領域の前記振動数と前記振幅のうちの少なくとも１つを決定するランダムチェック発生器によって変化させられるように構成される
ことを特徴とする、影響付与方法。
【請求項２５】
前記ランダムチェック発生器は、前記所定時間領域のサイズを決定する、
請求項２４記載の影響付与方法。
【請求項２６】
前記ランダムチェック発生器は、生成した白色雑音を前記振動指令信号に注入する、
請求項２４または２５記載の影響付与方法。
【請求項２７】
前記ランダムチェック発生器は、所定帯幅内の前記振動数を、前記所定時間領域において正規分布に基づき生成する、
請求項２４〜２６何れか一項記載の影響付与方法。
【請求項２８】
アクチュエータ制御モジュールを有するコンピュータであって、
前記アクチュエータ制御モジュールは、アクチュエータへの時間変動する指令信号を生成するように構成され、
駆動状態の前記アクチュエータ制御モジュールは、互いに対して逆位相の２つの振動指令信号を生成する振動指令機能を有し、
前記振動指令機能は、前記振動指令信号の振動数と振幅のうちの少なくとも１つを変化させるように構成され、
前記振動指令機能は、所定時間領域における前記振動数と前記振幅のうちの少なくとも１つを決定するランダムチェック発生器によって実現されるように構成される
ことを特徴とする、コンピュータ。
【請求項２９】
前記ランダムチェック発生器は、前記所定時間領域のサイズを決定する、
請求項２８記載のコンピュータ。